(57)【要約】  無線周波数認識（ＲＦＩＤ）タグ及びＲＦＩＤタグのクオリティ・オブ・サービス（ＱｏＳ）を監視する方法。ＲＦＩＤタグ（２００）であって、ＲＦＩＤリーダ（１００）から信号を受け、ＲＦＩＤタグ（２００）に電源電圧Ｖddを提供するエネルギーを受信信号から抽出する手段を含む第１の通信モジュール（２０１）と、ＲＦＩＤリーダ（１００）からの受信信号から抽出された前記エネルギーを蓄積するエネルギー蓄積モジュール（２０３）と、外部デバイス（３００）と通信する第２の通信モジュール（２０２）と、前記蓄積されたエネルギーを使用して外部デバイス（３００）に電源電圧を提供する電力出力（２０４）と、前記電力出力（２０４）によって提供される前記電源電圧の追跡を実行するための、前記制御モジュール（２０５）と、を含むＲＦＩＤタグ（２００）であり、第１の通信モジュール（２０１）がまた、前記追跡の結果に基づくＲＦＩＤタグ（２００）のエネルギー状態の品質表示をＲＦＩＤリーダ（１００）に発信する、ＲＦＩＤタグ（２００）。
2019519038.tif 000002
【特許請求の範囲】
【請求項１】
無線周波数認識（ＲＦＩＤ）タグであって、
−ＲＦＩＤリーダ（１００）から信号を受けるように適合及び構成された第１の通信モジュール（２０１）であり、ＲＦＩＤタグ（２００）に電源電圧Ｖddを提供するエネルギーを受信信号から抽出する手段を含む前記第１の通信モジュール（２０１）と、
−ＲＦＩＤリーダ（１００）からの受信信号から抽出された前記エネルギーを蓄積するように適合及び構成された、第１の通信モジュール（２０１）と接続し第１の通信モジュール（２０１）によって供給される少なくとも１つのエネルギー蓄積モジュール（２０３）と、
−少なくとも１つの外部デバイス（３００）と通信するように適合及び構成された第２の通信モジュール（２０２）と、
−前記蓄積されたエネルギーを使用して前記少なくとも１つの外部デバイス（３００）に電源電圧を提供するように適合及び構成された、第２の通信モジュールと接続し第２の通信モジュールによって供給される電力出力（２０４）と、
を含むＲＦＩＤタグ（２００）であり、
−ＲＦＩＤタグ（２００）が、第２の通信モジュール（２０２）と接続した制御モジュール（２０５）を更に含み、前記制御モジュール（２０５）が、前記電力出力（２０４）によって少なくとも１つの外部デバイス（３００）に提供される前記電源電圧の追跡を実行するように適合及び構成されることと、
−制御モジュール（２０５）が、更に、第１の通信モジュール（２０１）と接続することと、
−第１の通信モジュール（２０１）が、更に、前記追跡の結果に基づくＲＦＩＤタグ（２００）のエネルギー状態の品質表示をＲＦＩＤリーダ（１００）に発信するように適合及び構成されることと、
を特徴とするＲＦＩＤタグ（２００）。
【請求項２】
制御モジュール（２０５）が、２つの電子コンパレータ（２０５Ａ、２０５Ｂ）を含み、前記２つの電子コンパレータのうちの第１の電子コンパレータ（２０５Ａ）が、提供される電源電圧が少なくとも１つの外部デバイス（３００）によって必要とされ得る最小電圧閾値（Ｖmin）を超えるか又は等しいかどうかを決定するように構成され、前記２つの電子コンパレータのうちの第２の電子コンパレータ（２０５Ｂ）が、提供される電源電圧が少なくとも１つの外部デバイス（３００）によって必要とされ得る最大電圧閾値（Ｖmax）を超えるか又は等しいかどうかを決定するように構成される、請求項１に記載のＲＦＩＤタグ。
【請求項３】
少なくとも１つの外部デバイス（３００）が温度センサであり、前記最小電圧閾値（Ｖmin）が１．６〜１．９Ｖの範囲に含まれ、前記最大電圧閾値（Ｖmax）が２．８〜３．２Ｖの範囲に含まれる、請求項２に記載のＲＦＩＤタグ。
【請求項４】
最小電圧閾値（Ｖmin）が１．８Ｖであり、最大電圧閾値（Ｖmax）が３Ｖである、請求項３に記載のＲＦＩＤタグ。
【請求項５】
制御モジュール（２０５）が、外部デバイス３００に提供される電源電圧を決定するために、アナログ−デジタル変換器、ＡＤＣ、２０５Ｃを含む、請求項１に記載のＲＦＩＤタグ。
【請求項６】
制御モジュール（２０５）が、前記追跡を連続的に実行するように構成される、請求項１〜５のうちのいずれか１項に記載のＲＦＩＤタグ。
【請求項７】
制御モジュール（２０５）が、前記追跡を周期的に実行するように構成される、請求項１〜５のうちのいずれか１項に記載のＲＦＩＤタグ。
【請求項８】
パッシブ型ＲＦＩＤタグを含む、請求項１〜７のうちのいずれか１項に記載のＲＦＩＤタグ。
【請求項９】
セミパッシブ型ＲＦＩＤタグを含み、ＲＦＩＤタグ（２００）がバッテリを更に含む、請求項１〜７のうちのいずれか１項に記載のＲＦＩＤタグ。
【請求項１０】
ＲＦＩＤタグ（２００）を取り囲むエリアの周囲温度又は湿度を監視するように適合及び構成された少なくとも１つの温度センサ又は湿度センサを更に含む、請求項１〜９のうちのいずれか１項に記載のＲＦＩＤタグ。
【請求項１１】
無線周波数認識（ＲＦＩＤ）タグのクオリティ・オブ・サービス（ＱｏＳ）を監視する方法であって、
−前記ＲＦＩＤタグ（２００）の第１の通信モジュール（２０１）によって、ＲＦＩＤリーダ（１００）から信号を受け、ＲＦＩＤタグ（２００）に電源電圧Ｖddを提供するエネルギーを受信信号から抽出することと、
−ＲＦＩＤリーダ（１００）からの受信信号から抽出された前記エネルギーをＲＦＩＤタグ（２００）の少なくとも１つのエネルギー蓄積モジュール（２０３）に蓄積することと、
−ＲＦＩＤタグ（２００）の第２の通信モジュール（２０２）と接続し第２の通信モジュール（２０２）によって供給される電力出力（２０４）を介して、前記蓄積されたエネルギーを使用して少なくとも１つの外部デバイス（３００）に電源電圧を提供することと、
を含む方法であり、
−第２の通信モジュール（２０２）及び第１の通信モジュール（２０１）と接続するＲＦＩＤタグ（２００）の制御モジュール（２０５）によって、電力出力（２０４）によって外部デバイス（３００）に提供された電源電圧を追跡することと、
−前記追跡の結果に基づくＲＦＩＤタグ（２００）のエネルギー状態の品質表示を第１の通信モジュール（２０１）を介してＲＦＩＤリーダ（１００）に発信することと、
を更に含むことを特徴とする方法。
【請求項１２】
前記追跡を連続的に実行することを含む、請求項１１に記載の方法。
【請求項１３】
前記追跡を周期的に実行することを含む、請求項１１に記載の方法。
【請求項１４】
ＲＦＩＤタグ（２００）に含まれる少なくとも１つの温度センサ又は湿度センサによってＲＦＩＤタグ（２００）を取り囲むエリアの周囲温度又は湿度を監視することを更に含む、請求項１１〜１３のうちのいずれか１項に記載の方法。
【発明の詳細な説明】
【技術分野】
【０００１】
分野
本発明は、一般に、無線周波数認識技術の分野に関する。特に、本発明は無線周波数認識（ＲＦＩＤ）タグ及びＲＦＩＤタグのクオリティ・オブ・サービス（ＱｏＳ）を監視する方法に関する。
【０００２】
発明の背景
ほぼすべての通信システムは、エミッタとレシーバとの間の適切な通信を確保するために、クオリティ・オブ・サービス（ＱｏＳ）コンセプトを含む。ＲＦＩＤ通信においても、通信プロトコルは、データの一貫性を検査するためにＣＲＣコードを定め、誤ったデータを受けた場合には再試行を実施する。大部分のＲＦＩＤリーダが、同様に、ＲＦＩＤタグとの通信リンクの強度を評価するために、ＲＳＳＩ読取を実施する。
【０００３】
すべてのこれらのＱｏＳサービスは、一般に、アクティブ型通信システムの主要な問題であるＲＦＩＤリーダとＲＦＩＤタグとの間の通信リンクを対象とする。バッテリ電源式システムはまた、バッテリを交換しなければならないときにエンドユーザに警告をするために、いくつかのバッテリ残量表示を含むことができる。しかしながら、この値は、送信している情報の有効性に関連しない。
【０００４】
パッシブ型システムは、他方で、ＲＦＩＤリーダからＲＦＩＤタグへの電力発信という、追加的な要求を有する。パッシブ型ＲＦＩＤタグがＲＦＩＤリーダに応答する場合に、ＲＦＩＤタグは電力を供給されて、作動することが可能であると想定される。しかしながら、センサ若しくはアクチュエータなどの外部デバイス（又は負荷）がＲＦＩＤタグに接続されＲＦＩＤタグから電力を供給される場合には、外部デバイスに伝えられる電力供給の品質は不明である。この伝えられる電力供給が要求される値の範囲外である場合であっても、ＲＦＩＤタグは不確実又は無効な情報でＲＦＩＤリーダに応答することがあり得る。
【０００５】
このような場合、ＲＦＩＤリーダは、前記通信リンクの観点から正しいＲＦＩＤタグからの応答を得ることができるが、外部デバイスが不適切な供給状況によって電力を供給されたとすると応答に含まれるデータは正しくないことになる。
【０００６】
本発明は、このような技術的課題を解決することに焦点を合わせる。
【０００７】
本発明の技術分野における公知のいくつかの特許又は特許出願が存在する。
【０００８】
例えば、欧州特許EP-B1-2709041は、ＲＦＩＤタグの健全性を監視するシステム及び対応する方法を開示する。システムは、前記ＲＦＩＤタグからのデータを読み取るように作動可能な読取デバイスを含み、前記読取デバイスが、ＲＦＩＤタグからの健全性を表すパラメータ値を読み取ることによってＲＦＩＤタグの前記健全性を決定するように配置される。提案される発明とは対照的に、この特許のＲＦＩＤタグはセンサ又はアクチュエータなどの外部デバイスに電力供給するように構成されないし、ＲＦＩＤタグのエネルギー状態を知るために前記電力供給を監視することが可能ではない。
【０００９】
US-A1-2008100455は、半導体チップと、半導体チップに結合されたアンテナと、半導体チップに結合され、人間によって観察可能な持続的に視認かつ聴取可能な信号を提供するように適合された材料の層と、材料の層に結合され、材料に信号を提供させるように適合されたコントローラと、を含む認識デバイスタグを提供する。認識デバイスタグが結合される部分が、リーダが認識するように、部分のサブセットに含まれるかどうかを表示する１つ以上のビットを記憶するように、認識デバイスタグは適合され得る。
【００１０】
US-A1-2009235106は、データ処理システムの電源必要条件を決定する方法であって、データ処理システムが複数の現場交換ユニットと関連付けられる、方法を開示する。方法は、現場交換ユニットに関連付けられた電子ラベルから、現場交換ユニットの固有識別子及び電源必要条件を識別することと、データ処理システムに関連付けられた電子エンクロージャラベルを識別することと、現場交換ユニットの電子ラベルをデータ処理システムの電子エンクロージャラベルに関連付けることと、電子ラベルに関連付けられた現場交換ユニットの識別された電源必要条件からデータ処理システムの電源必要条件を計算するように電子エンクロージャラベルに命令することと、を含む。
【００１１】
しかしながら、上記の特許または特許出願のいずれも、上記の技術的問題を解決していない。
【００１２】
概要
本発明の実施形態は、第１の態様に従って、当該技術分野において一般的な、無線周波数認識（ＲＦＩＤ）タグであって、ＲＦＩＤリーダから信号を受けるように適合及び構成された第１の通信モジュールであり、ＲＦＩＤタグに電源電圧Ｖddを提供するエネルギーを受信信号から抽出する手段を含む前記第１の通信モジュールと、ＲＦＩＤリーダからの受信信号から抽出された前記エネルギーを蓄積するように適合及び構成された、第１の通信モジュールと接続し第１の通信モジュールによって供給される少なくとも１つのエネルギー蓄積モジュールと、少なくとも１つの外部デバイスと通信するように適合及び構成された第２の通信モジュールと、前記蓄積されたエネルギーを使用して前記外部デバイスに電源電圧を提供するように適合及び構成された、第２の通信モジュールと接続し第２の通信モジュールによって供給される電力出力と、を含むＲＦＩＤタグを提供する。
【００１３】
既知の提案とは異なり、ＲＦＩＤタグは、第１の通信モジュール及び第２の通信モジュールと接続した制御モジュールを更に含む。制御モジュールは、前記電力出力によって外部デバイス（例えば、他のタイプのセンサの中で特に、温度センサ、圧力センサ）に提供される前記電源電圧の追跡を実行するように適合及び構成される。
【００１４】
加えて、提案されるＲＦＩＤタグにおいて、第１の通信モジュールは、更に、前記追跡の結果に基づくＲＦＩＤタグのエネルギー状態の品質表示をＲＦＩＤリーダに発信するように適合及び構成される。その結果、この情報によって、ＲＦＩＤリーダは、対処方法を決定することができる。ＲＦＩＤタグの供給状況に応じて、ＲＦＩＤリーダは、その応答を受け入れるか又は無視することができる。
【００１５】
したがって、言及された追跡は、特定の作業を実行する（温度を測る、圧力を測定するなど）ために電力が供給される期間の任意の時点の前記外部デバイスの電圧状況を回復させ、得られた測定値と共にパッケージ化されてＲＦＩＤリーダに発信されるこの情報（最悪の電圧の場合を含む）は、得られた測定値が受け入れ可能かどうか評価するためにＲＦＩＤリーダによって使用され得る。
【００１６】
本発明によれば、ＲＦＩＤタグは、パッシブ型であってもよく、すなわち、バッテリを含まず、応答を生成させるＲＦＩＤリーダ信号の強さに依存するか、又は代替的にセミパッシブ型であってもよい、すなわち、タグから応答をさせるリーダ信号を使用して、パッシブ型タグと同様に作動するが、この場合には、セミパッシブ型タグは、データ発信のためではなく検知または他の機能のためにバッテリを有する。
【００１７】
一実施形態によれば、制御モジュールは、２つの電子コンパレータを含む。第１の電子コンパレータは、提供される電源電圧が外部デバイスによって必要とされ得る最小電圧閾値を超える（又は等しい）かどうかを決定するように構成される。第２の電子コンパレータは、提供される電源電圧が外部デバイスによって必要とされ得る最大電圧閾値を超える（又は等しい）かどうかを決定するように構成される。
【００１８】
外部デバイスが温度センサであるときの最小電圧閾値は、好ましくは１．６〜１．９Ｖの範囲に含まれ、最大電圧閾値は、好ましくは２．８〜３．２Ｖの範囲に含まれる。より好ましくは、最小電圧閾値は１．８Ｖであり、最大電圧閾値は３Ｖである。
【００１９】
代替的に、制御モジュールは、外部デバイスに提供される電源電圧を決定するために、アナログ−デジタル変換器（ＡＤＣ）を含む。
【００２０】
一実施形態によれば、制御モジュールは、電源電圧の前記追跡を連続的に（すなわち途切れずに）実行する。代替的に、別の実施形態によれば、制御モジュールは、周期的に（一定の期間毎に）電源電圧の前記追跡を実行する。
【００２１】
本発明の実施形態はまた、第２の態様に従って、ＲＦＩＤタグのクオリティ・オブ・サービス（ＱｏＳ）を監視する方法を提供する。方法は、前記ＲＦＩＤタグの第１の通信モジュールによって、ＲＦＩＤリーダから信号を受け、ＲＦＩＤタグに電源電圧Ｖddを提供するエネルギーを受信信号から抽出することと、ＲＦＩＤリーダからの受信信号から抽出された前記エネルギーをＲＦＩＤタグの少なくとも１つのエネルギー蓄積モジュールに蓄積することと、ＲＦＩＤタグの第２の通信モジュールと接続し第２の通信モジュールによって供給される電力出力を介して、前記蓄積されたエネルギーを使用して少なくとも１つの外部デバイスに電源電圧を提供することと、第２の通信モジュール及び第１の通信モジュールと接続するＲＦＩＤタグの制御モジュールによって、電力出力によって外部デバイスに提供された電源電圧を追跡することと、前記追跡の結果に基づくＲＦＩＤタグのエネルギー状態の品質表示を第１の通信モジュールを介してＲＦＩＤリーダに発信することと、を含む。
【００２２】
先の及び他の利点及び特性は、例示的及び非限定的と考慮されなければならない、添付図面を参照した、実施形態の以下の詳細な説明から完全に理解されるであろう。
【図面の簡単な説明】
【００２３】
【図１】本発明の好ましい実施形態による提案されるＲＦＩＤタグの略図である。
【図２】図１のＲＦＩＤタグの制御モジュールの一実施形態を例示する。この実施形態によれば、制御モジュールは、ＲＦＩＤタグによって外部デバイスに提供される電源電圧の追跡を実行する２つの電子コンパレータを含む。
【図３Ａ】ＲＦＩＤリーダから異なる距離に位置したＲＦＩＤタグの異なる実施形態を例示する。
【図３Ｂ】ＲＦＩＤリーダから異なる距離に位置したＲＦＩＤタグの異なる実施形態を例示する。
【図３Ｃ】ＲＦＩＤリーダから異なる距離に位置したＲＦＩＤタグの異なる実施形態を例示する。
【図３Ｄ】ＲＦＩＤリーダから異なる距離に位置したＲＦＩＤタグの異なる実施形態を例示する。
【図４】図１のＲＦＩＤタグの制御モジュールの別の実施形態を例示する。この実施形態によれば、制御モジュールは、前記追跡を実行するためのＡＤＣを含む。
【図５】本発明の一実施形態によるＲＦＩＤタグのＱｏＳを監視する方法を例示したフローチャートである。
【発明を実施するための形態】
【００２４】
図１は、提案される無線周波数認識（ＲＦＩＤ）タグの好ましい実施形態を示す。この特定の実施形態によれば、ＲＦＩＤタグ２００はパッシブ型ＲＦＩＤタグであり、すなわち、ＲＦＩＤタグはバッテリを含まず、２つの通信モジュール２０１及び２０２を（すなわち第１及び第２の通信モジュールをそれぞれ）含み、各々の通信モジュールがキャパシタなどのエネルギー蓄積モジュール２０３に作動可能に接続される。第２の通信モジュール２０２と接続されてモジュール２０２によって供給される電力出力２０４がまた、含まれる。
【００２５】
第１の通信モジュール２０１は、（図に例示された）ＲＦＩＤリーダ１００からＵＨＦ、ＲＦ信号などの信号を受けるように構成され、その目的のために、第１の通信モジュール２０１は、ＲＦＩＤタグ２００に電源電圧Ｖddを提供するエネルギーをＲＦＩＤリーダ１００からの受信信号から抽出する手段を含む。ＲＦＩＤリーダ１００からの受信信号から抽出されるエネルギーは、エネルギー蓄積モジュール２０３によって蓄積される、すなわちキャパシタが充電される。電源電圧Ｖddは、ＲＦＩＤリーダ１００とＲＦＩＤタグ２００との間の距離に依存する。
【００２６】
第２の通信モジュール２０２は、この例では１．８Ｖと３．６Ｖとの間で適切に作動する、少なくとも１つの外部デバイス３００、この特定の例では温度センサ、との通信のために提供され、電力出力２０４は、ＲＦＩＤタグ２００によって採取された（すなわち蓄積された）エネルギーにより前記外部デバイス３００を駆動するために提供される。外部デバイス３００の精度は、提供される電源電圧に依存する。電源電圧が３Ｖを超える場合には、外部デバイス３００の精度は０．０１℃であるが、電源電圧が３Ｖ未満の場合には、精度は１℃である。
【００２７】
外部デバイス３００に提供される電源電圧の追跡を行う提案されるＲＦＩＤタグ２００は、通信モジュール２０１、２０２の両方と接続される制御モジュール２０５を更に含む。
【００２８】
図２は、制御モジュール２０５の一実施形態を例示する。この実施形態によれば、制御モジュール２０５は、外部デバイス３００に提供される電源電圧が（例えば１．６〜１．９Ｖの範囲に含まれる）外部デバイス３００によって必要とされる最小電圧閾値Ｖminを超えるか（またはいくつかの実施形態では等しいか）、又は（例えば２．８〜３．２Ｖの範囲に含まれる）外部デバイス３００によって必要とされる最大電圧閾値Ｖmaxを超えるか（またはいくつかの実施形態では等しいか）を決定するために、２つの電子コンパレータ２０５Ａ及び２０５Ｂを含む。好ましくは、最小電圧閾値Ｖminは１．８Ｖであり、最大電圧閾値Ｖmaxは３Ｖである。
【００２９】
ＲＦＩＤタグ２００のデジタルプロセッサ（図の簡略化のために例示されない）に接続される電子コンパレータ２０５Ａ、２０５Ｂの出力は、外部デバイス３００についてのデータをＲＦＩＤリーダ１００に発信するときのＲＦＩＤタグ２００からＲＦＩＤリーダ１００への（例えば一連のビットを含むことによる）応答に含まれ、ＲＦＩＤタグ２００のエネルギー状態の品質表示を提供する。
【００３０】
前記したように、ＲＦＩＤタグ２００に電力を供給し動作させる電源電圧Ｖddは、ＲＦＩＤリーダ１００とＲＦＩＤタグ２００との間の距離に依存する。図３は、ＲＦＩＤリーダ１００とＲＦＩＤタグ２００との間の異なる距離を有した異なる実施形態を示す。これらの実施形態の外部デバイス３００は、同様に、温度センサである。図３Ａでは、ＲＦＩＤリーダ１００とＲＦＩＤタグ２００との間の距離は５メートルであり、０．５Ｖの電源電圧Ｖddが得られるが、この電源電圧Ｖddは、ＲＦＩＤタグ２００又は外部デバイス３００を起動させるのに十分ではない。結果として、データが、ＲＦＩＤリーダ１００において受信されない。図３Ｂでは、ＲＦＩＤリーダ１００とＲＦＩＤタグ２００との間の距離は４メートルであり、１．２Ｖの電源電圧Ｖddが得られる。この電源電圧Ｖddは、ＲＦＩＤタグ２００の動作開始には十分であるが、外部デバイス３００を起動させるには十分ではない。第１の通信リンク２０１が動作しているので、ＲＦＩＤタグ２００に関するデータ（図中ＩＤと称される）及び外部デバイス３００に関するデータ（温度）が、ＲＦＩＤリーダ１００から検索され得る。電源電圧値が最小値未満なので、ＲＦＩＤタグ２００によって提供される品質表示は、データが無効であるとＲＦＩＤリーダ１００に通知するために使用される。図３Ｃでは、ＲＦＩＤリーダ１００とＲＦＩＤタグ２００との間の距離は３ｍにセットされ、２．０Ｖの電源電圧が得られる。この電源電圧ＶddはＲＦＩＤタグ２００及び外部デバイス３００の両方を起動させるのに十分な高さであるが、電源電圧が最大電圧閾値Ｖmaxよりも低いので、この状況下の外部デバイス３００は低い精度で作動していることになる。ＲＦＩＤタグ２００によって提供される品質表示（すなわち外部デバイス３００に提供される電源電圧を指示するＲＦＩＤタグ２００からＲＦＩＤリーダ１００への応答に含まれる一連のビット）は、ＲＦＩＤリーダ１００にこの状況を通知する。最後に、図３Ｄでは、ＲＦＩＤリーダ１００とＲＦＩＤタグ２００との間の距離は２ｍであり、その結果、得られる電源電圧ＶDDは３．３Ｖである。この場合には、ＲＦＩＤタグ２００及び外部デバイス３００は起動し、更に、外部デバイス３００は高い精度で動作している。ＲＦＩＤタグ２００によってＲＦＩＤリーダ１００に提供される品質表示は、ＲＦＩＤリーダ１００にこの良好な状況を通知することになる。
【００３１】
上記で説明された実施形態では、外部デバイス３００は温度センサであるが、代替的な実施形態におけるＲＦＩＤタグ２００は、例えば圧力センサ、湿度センサなどの、任意の他のタイプのセンサ又はアクチュエータ３００を起動することができる。これらの代替的な実施形態によれば、最小及び最大電圧閾値Ｖmin及びＶmaxの値は、使用されるセンサ又はアクチュエータに依存することになる。
【００３２】
ここで図４を参照すると、制御モジュール２０５の別の実施形態が例示される。この実施形態によれば、制御モジュール２０５は、外部デバイス３００に提供される電源電圧を決定するために、アナログ−デジタル変換器（ＡＤＣ）２０５Ｃを含む。図２の実施形態とは異なり、この場合には、ＡＤＣ２０５Ｃの出力は、一定の正確さで前記提供される電源電圧の値を指示する。この値は、ＲＦＩＤタグ２００のエネルギー状態の品質表示を提供するために、ＲＦＩＤタグ２００からＲＦＩＤリーダ１００への応答に含まれることになる。
【００３３】
制御モジュール２０５の他の異なる実施態様もまた、本発明の保護の範囲から逸脱することなく実施され得る。
【００３４】
ここで図５を参照すると、ＲＦＩＤタグ２００、すなわちパッシブ又はセミパッシブ型ＲＦＩＤタグ、のＱｏＳを監視する方法の一実施形態が例示される。この方法によれば、ステップ５００１で、ＲＦＩＤタグ２００は、ＲＦＩＤリーダ１００から信号を受け、ＲＦＩＤタグ２００に電源電圧Ｖddを提供するエネルギーを受信信号から抽出する。次いで、ステップ５００２で、ＲＦＩＤタグ２００は、ＲＦＩＤリーダ１００からの受信信号から抽出された前記エネルギーを蓄積する。蓄積されたエネルギーによって、ステップ５００３で、ＲＦＩＤタグ２００は、センサ又はアクチュエータなどの、外部デバイス３００を起動する。次いで、ステップ５００４で、外部デバイス３００に提供された電源電圧を追跡する。最後に、ステップ５００５で、前記追跡の結果に基づく（例えば一連のビットとして実施される）ＲＦＩＤタグ２００のエネルギー状態の品質表示を、ＲＦＩＤリーダ１００に発信する。品質表示の発信は、一実施形態によれば、現行のＣ１Ｇ２規格に従って実行される。他の通信規格又は固有のコマンドまたはカスタムコマンドもまた品質表示をＲＦＩＤリーダ１００に発信するために使用され得ることに留意する必要がある。
【００３５】
外部デバイス３００に提供される電源電圧の追跡は、ＲＦＩＤタグ２００の制御モジュール２０５によって連続的に又は周期的に実行され得る。
【００３６】
別の実施形態によれば、図示されないが、ＲＦＩＤタグ２００は、セミパッシブ型ＲＦＩＤタグである。この場合には、図１及び図２又は図４の実施形態の要素の他に、ＲＦＩＤタグは、データ発信のためではなく検知又は他の機能のためにバッテリを更に含む。
【００３７】
ＲＦＩＤタグ２００は、図に例示されないが、（他の環境センサの中で特に）温度センサ又は湿度センサなどの、追加的なセンサを一体化することによって、更に改良され、その結果、ＲＦＩＤタグ２００の、及び外部デバイス３００が電力供給の前記転送を可能にする近接に配置される場合には外部デバイス３００の、周囲温度又は湿度を追跡することができる。これにより、外部デバイスから受信される任意の値（例えば圧力値）が、測定が実行された期間の電圧及び周囲温度と共にパッケージ化されることになる。
【００３８】
本発明の範囲は、添付の特許請求の範囲において定められる。
【図１】
2019519038.tif 000003
【図２】
2019519038.tif 000004
【図３Ａ】
2019519038.tif 000005
【図３Ｂ】
2019519038.tif 000006
【図３Ｃ】
2019519038.tif 000007
【図３Ｄ】
2019519038.tif 000008
【図４】
2019519038.tif 000009
【図５】
2019519038.tif 000010
【国際調査報告】
2019519038.tif 000011
2019519038.tif 000012